(57)【要約】【課題】  ボタン操作する事無く担当医師等が病室に接近すると、該当する患者の情報を廊下灯にて自動表示でき、しかもプライバシーの保護も維持できるナースコールシステムを提供する。【解決手段】  医師が携行する携帯型発信機５と、その発信信号を受信して制御機に通知する信号検知装置６とを備え、信号検知装置６と廊下灯２とを関連付けた情報、携帯型発信機と医師、医師と患者等を関連付けた情報等を制御機メモリ１８に記憶させた。信号検知装置６は、２台の廊下灯毎に設置され、制御機ＣＰＵ１９は、信号検知装置６が携帯発信機５の発信信号を受信したら、受信動作した信号検知装置６に関連付けられている廊下灯２の液晶表示部１１に患者情報を表示させる。【選択図】  図２
2007259958.tif 000002
【特許請求の範囲】
【請求項１】
患者が看護師を呼び出すためのナースコール子機と、前記ナースコール子機からの呼び出しを看護師に知らせるための廊下灯と、前記患者からの呼び出しに応答するためのナースコール親機と、前記ナースコール親機および前記廊下灯を制御する制御機とを有し、前記廊下灯が患者情報を表示する液晶表示部とナースコール子機からの呼び出しを報知する表示灯を備えて成るナースコールシステムにおいて、
携帯型発信機と、該携帯型発信機の発信信号を受信したら前記制御機或いは前記ナースコール親機に通知する信号検知装置とを備える一方、前記ナースコール親機或いは前記制御機の何れかに、前記液晶表示部の表示制御を行う廊下灯表示制御手段と、前記信号検知装置と前記廊下灯とを関連付けた情報を記憶する廊下灯情報記憶部を備え、
前記信号検知装置は、前記廊下灯と対を成すか少なくとも病棟フロア毎に設置され、前記廊下灯表示制御手段は、前記信号検知装置が前記携帯型発信機の発信信号を受信したら、受信動作した信号検知装置に関連付けられている廊下灯の液晶表示部に患者情報を視認可能に表示させる制御をおこなうことを特徴とするナースコールシステム。
【請求項２】
前記ナースコール親機或いは前記制御機の何れかに、患者、担当医師、前記携帯型発信機、廊下灯を関連付けた情報を記憶する医師・患者情報記憶部を備え、
前記廊下灯表示制御手段は、前記信号検知装置が受信した前記携帯型発信機に関連付けられた前記廊下灯に、受信した前記携帯型発信機に関連付けられた医師が担当する患者欄がある場合は、前記廊下灯の液晶表示部に患者情報を視認可能に表示させる制御を行うことを特徴とする請求項１記載のナースコールシステム。
【請求項３】
前記ナースコール親機は、前記信号検知装置が受信する携帯型発信機を選択するための医師検知選択手段を備え、
該医師検知選択手段により携帯型発信機が選択されたら、前記廊下灯表示制御手段は、前記信号検知装置が受信した前記携帯型発信機に関連付けられた前記廊下灯に、受信した前記携帯型発信機に関連付けられた医師が担当する患者欄がある場合であって、且つ前記医師が選択された医師である場合に、前記廊下灯の液晶表示部に患者情報を視認可能に表示させる制御を行うことを特徴とする請求項２記載のナースコールシステム。
【請求項４】
前記廊下灯表示制御手段は、前記液晶表示部を視認可能に表示する際、受信した前記携帯型発信機に関連付けられた医師が担当する患者欄の患者領域のみ周囲と異なる形態で表示動作させることを特徴とする請求項２又は３記載のナースコールシステム。
【請求項５】
前記ナースコール親機或いは前記制御機の何れかに、患者、診療科目、前記携帯型発信機、廊下灯を関連付けた情報を記憶する診療科目・患者情報記憶部を備え、
前記廊下灯表示制御手段は、前記信号検知装置が受信した前記携帯型発信機に関連付けられた前記廊下灯に、受信した前記携帯型発信機に関連付けられた診療科目の患者欄がある場合に、前記廊下灯の液晶表示部に患者情報を視認可能に表示させる制御を行うことを特徴とする請求項１記載のナースコールシステム。
【請求項６】
前記ナースコール親機は、前記信号検知装置が受信する携帯型発信機を選択するための診療科目検知選択手段を有し、該診療科目検知選択手段により携帯型発信機が選択されたら、
前記廊下灯表示制御手段は、前記信号検知装置が受信した前記携帯型発信機に関連付けられた前記廊下灯に、受信した前記携帯型発信機に関連付けられた診療科目の患者欄がある場合であって、且つ前記診療科目が選択された診療科目である場合に、前記廊下灯の液晶表示部に患者情報を視認可能に表示させる制御を行うことを特徴とする請求項５記載のナースコールシステム。
【請求項７】
前記廊下灯表示制御手段は、前記液晶表示部を視認可能に表示する際、受信した前記携帯型発信機に関連付けられた診療科目の患者欄の患者領域のみ周囲と異なる形態で表示動作させることを特徴とする請求項５又は６記載のナースコールシステム。
【請求項８】
前記廊下灯表示制御手段は、前記液晶表示部の患者情報を視認可能に表示させる際、前記表示灯を合わせて報知動作させることを特徴とする請求項１乃至７の何れかに記載のナースコールシステム。
【請求項９】
前記ナースコール親機は、前記患者情報を患者毎に表示領域を設けて一覧表示する患者一覧表示手段、該患者一覧表示手段を表示制御する親機表示制御手段を有し、
前記親機表示制御手段は、前記廊下灯表示制御手段が廊下灯の患者領域を表示動作させる信号を受けて、前記患者一覧表示手段に表示されている同一患者の表示領域を周囲と異なる形態で表示動作させることを特徴とする請求項２乃至７の何れかに記載のナースコールシステム。
【発明の詳細な説明】
【技術分野】
【０００１】
本発明はナースコールシステムに関し、特に、廊下灯に患者情報を表示する液晶表示部を設けたナースコールシステムに関する。
【背景技術】
【０００２】
ナースコールシステムでは、病室毎にその出入口付近に、病室内の患者から呼出操作が成された場合に点灯動作等で看護師等に知らせるために廊下灯を設置しているが、この廊下灯に液晶表示部を取り付けて高機能化し、入院患者の患者情報を表示可能としたものがある（例えば、特許文献１参照）。このように、患者情報を表示可能とすることで、患者からの呼び出しに対応する場合や回診の際に必要な情報を得やすくし、同時に液晶画面とすることで、患者情報を表示する必要がない状況では待受画面を表示する等してプライバシーの保護を図っている。
【０００３】
【特許文献１】特開２００６−２１０２９号公報
【発明の開示】
【発明が解決しようとする課題】
【０００４】
上記特許文献１の場合、患者情報の表示は、廊下灯を直接表示操作した場合、或いはナースコール親機で所定の表示操作をした場合に行われるよう構成されている。
しかし、直接操作する方法は、その都度ボタンの長押し等の操作を行わなければならないため面倒であったし、ナースコール親機により操作する場合は、看護師や担当医師が病室に到着する前から患者情報が表示されることとなり、プライバシー保護の点では好ましい方法ではなかった。
【０００５】
そこで、本発明はこのような問題点に鑑み、ボタン操作をする事無く担当医師等が病室に接近すると、該当する患者の情報を廊下灯にて自動表示でき、しかもプライバシーの保護も維持できるナースコールシステムを提供することを目的とする。
【課題を解決するための手段】
【０００６】
上記課題を解決する為に、請求項１の発明は、患者が看護師を呼び出すためのナースコール子機と、ナースコール子機からの呼び出しを看護師に知らせるための廊下灯と、患者からの呼び出しに応答するためのナースコール親機と、ナースコール親機および廊下灯を制御する制御機とを有し、廊下灯が患者情報を表示する液晶表示部とナースコール子機からの呼び出しを報知する表示灯を備えて成るナースコールシステムにおいて、携帯型発信機と、携帯型発信機の発信信号を受信したら制御機或いはナースコール親機に通知する信号検知装置とを備える一方、ナースコール親機或いは制御機の何れかに、液晶表示部の表示制御を行う廊下灯表示制御手段と、信号検知装置と廊下灯とを関連付けた情報を記憶する廊下灯情報記憶部を備え、信号検知装置は、廊下灯と対を成すか少なくとも病棟フロア毎に設置され、廊下灯表示制御手段は、信号検知装置が携帯型発信機の発信信号を受信したら、受信動作した信号検知装置に関連付けられている廊下灯の液晶表示部に患者情報を視認可能に表示させる制御をおこなうことを特徴とする。
この発明により、携帯型発信機を携行する医師又は看護師が信号検知装置に接近したら、その携帯型発信機に関連付けられた廊下灯に患者情報が表示されるため、表示してほしい時には自動で表示され、別途表示操作を必要としない。また、逆に近くに携帯型発信機を携行する医師又は看護師が居ない場合に表示されることがないのでプライバシーの保護も図ることができる。
【０００７】
請求項２の発明は、請求項１に記載の発明において、ナースコール親機或いは制御機の何れかに、患者、担当医師、携帯型発信機、廊下灯を関連付けた情報を記憶する医師・患者情報記憶部を備え、廊下灯表示制御手段は、信号検知装置が受信した携帯型発信機に関連付けられた廊下灯に、受信した携帯型発信機に関連付けられた医師が担当する患者欄がある場合は、廊下灯の液晶表示部に患者情報を視認可能に表示させる制御を行うことを特徴とする。
この発明により、担当医師が近づいた時のみ患者情報が表示されるので、プライバシー保護の面で更に有効であるし、１台の信号検知装置に複数の廊下灯が対応していても、患者情報が表示されるのはこれらの一部であり、医師は目的の患者の患者情報をスムーズに確認できる。
【０００８】
請求項３の発明は、請求項２に記載の発明において、ナースコール親機は、信号検知装置が受信する携帯型発信機を選択するための医師検知選択手段を備え、医師検知選択手段により携帯型発信機が選択されたら、廊下灯表示制御手段は、信号検知装置が受信した携帯型発信機に関連付けられた廊下灯に、受信した携帯型発信機に関連付けられた医師が担当する患者欄がある場合であって、且つ医師が選択された医師である場合に、廊下灯の液晶表示部に患者情報を視認可能に表示させる制御を行うことを特徴とする。
この発明により、特定の医師が担当患者の居る病室に近づいた時のみ患者情報が表示されるので、回診する際に患者の居る病室が分かりやすく、回診をスムーズに進めるのに役立つ。
【０００９】
請求項４の発明は、請求項２又は３に記載の発明において、廊下灯表示制御手段は、液晶表示部を視認可能に表示する際、受信した携帯型発信機に関連付けられた医師が担当する患者欄の患者領域のみ周囲と異なる形態で表示動作させることを特徴とする。
この発明により、担当医師が近づいた時には担当する患者の患者情報だけが表示されるので、同室の他の患者のプライバシーの保護を図る事ができる。
【００１０】
請求項５の発明は、請求項１に記載の発明において、ナースコール親機或いは制御機の何れかに、患者、診療科目、携帯型発信機、廊下灯を関連付けた情報を記憶する診療科目・患者情報記憶部を備え、廊下灯表示制御手段は、信号検知装置が受信した携帯型発信機に関連付けられた廊下灯に、受信した携帯型発信機に関連付けられた診療科目の患者欄がある場合に、廊下灯の液晶表示部に患者情報を視認可能に表示させる制御を行うことを特徴とする。
この発明により、診療科目が一致した医師等が近づいた時のみ患者情報が表示されるので、担当ではない専門医が回診する場合等患者情報を良好に確認できるし、プライバシー保護も引き続き図ることができる。
【００１１】
請求項６の発明は、請求項５に記載の発明において、ナースコール親機は、信号検知装置が受信する携帯型発信機を選択するための診療科目検知選択手段を有し、診療科目検知選択手段により携帯型発信機が選択されたら、廊下灯表示制御手段は、信号検知装置が受信した携帯型発信機に関連付けられた廊下灯に、受信した携帯型発信機に関連付けられた診療科目の患者欄がある場合であって、且つ診療科目が選択された診療科目である場合に、廊下灯の液晶表示部に患者情報を視認可能に表示させる制御を行うことを特徴とする。
この発明より、診療科目を限定して動作させることができ、廊下灯の表示動作を大きく制限することができ、プライバシー保護の面でも有効である。
【００１２】
請求項７の発明は、請求項５又は６記載の発明において、廊下灯表示制御手段は、液晶表示部を視認可能に表示する際、受信した携帯型発信機に関連付けられた診療科目の患者欄の患者領域のみ周囲と異なる形態で表示動作させることを特徴とする。
この発明により、診療科目が一致した医師が近づいた時には担当する患者情報だけが表示されるので、同室の他の患者のプライバシーの保護を図ることができる。
【００１３】
請求項８の発明は、請求項１乃至７の何れかに記載の発明において、廊下灯表示制御手段は、液晶表示部の患者情報を視認可能に表示させる際、表示灯を合わせて報知動作させることを特徴とする。
この発明により、携帯型発信機に反応している廊下灯を確認しやすい。特に、設定確認する際活用できる。
【００１４】
請求項９の発明は、請求項２乃至７の何れかに記載の発明において、ナースコール親機は、患者情報を患者毎に表示領域を設けて一覧表示する患者一覧表示手段、該患者一覧表示手段を表示制御する親機表示制御手段を有し、親機表示制御手段は、廊下灯表示制御手段が廊下灯の患者領域を表示動作させる信号を受けて、患者一覧表示手段に表示されている同一患者の表示領域を周囲と異なる形態で表示動作させることを特徴とする。
この発明により、ナースコール親機においても廊下灯の表示動作を確認できるし、担当医師の所在を把握するのに活用できる。
【発明の効果】
【００１５】
このように、本発明によれば、携帯型発信機を携行する医師や看護師が接近した病室に担当する患者が入院している場合に廊下灯に患者情報が表示されるため、別途表示操作を必要としないし、医師等は担当患者が居る病室を認識できる。また、逆に近くに携帯型発信機を携行する医師又は看護師が居ない場合に表示されることがないのでプライバシーの保護も図ることができる。
更に、液晶表示部を表示動作させる携帯型発信機を選択でき、特定の医師が回診する患者情報のみ表示させる事も可能であり、スムーズな回診に役立てることができる。
【発明を実施するための最良の形態】
【００１６】
以下、本発明を具体化した実施の形態を、図面に基づいて詳細に説明する。図１は、本発明に係るナースコールシステムの一例を示すシステム構成図であり、１は患者が看護師を呼び出すための呼出ボタン１ａを備えたナースコール子機、２はナースコール子機１からの呼び出しを看護師に知らせるための廊下灯、３はナースコール子機１からの呼び出しに応答するためのナースコール親機、４はナースコール親機３および廊下灯２を制御する制御機、５は携帯型発信機、６は携帯型発信機５の発信信号を受信する信号検知装置である。
【００１７】
ナースコール子機１はベッド毎に配置され、廊下灯２は病室毎にその出入口付近に設置され、病室内のナースコール子機１が接続されている。尚、病室内にトイレや浴室がある場合は、それらの場所に設置された呼出ボタンも廊下灯に接続される。また、ナースコール親機３は患者からの呼び出しに応答し易いようナースステーションに配置され、信号検知装置６は、病室前の適宜位置に配置されている。
【００１８】
図２は廊下灯２、制御機４、ナースコール親機３の夫々のブロック図を示し、廊下灯２は、ナースコール子機１からの呼び出しを知らせる表示灯１０、患者情報表示部としての液晶表示部１１、液晶表示部１１を駆動する液晶表示部駆動回路１２、報知動作を停止させたり液晶表示をオン／オフ操作する復旧ボタン１３、呼出ボタン１ａを接続するための廊下灯ＩＦ（インターフェイス）１４、廊下灯２の各回路を制御する廊下灯ＣＰＵ１５を有している。
【００１９】
この廊下灯の液晶表示部１１は、待受け時には図３（ａ）で示すような待受け画面を表示し、通常は医師（または看護師）が廊下灯において所定の操作を行うことにより、図３（ｂ）に示すように複数の患者情報が表示される。但し、個室の場合は１名の患者情報が表示される。
この図３（ｂ）に示すように、個々の患者情報を表示可能に構成され、患者情報表示領域の配置がそのまま病室内のベッド配置に成っている。そして、患者氏名と共に記号や文字で診療科目や救護区分等の患者情報が表示され、ナースコール親機の制御等で、個々の患者毎に患者情報が表示可能となっている。
【００２０】
制御機４は、患者、担当医師、診療科目、携帯型発信機等の関係を記憶する医師・患者情報記憶部、及び信号検知装置と廊下灯との関係を記憶する廊下灯情報記憶部としての制御機メモリ１８、廊下灯２とナースコール親機３の間の通信制御、及び信号検知装置６の受信信号を受けて所定の制御等を行う制御機ＣＰＵ１９とを有している。信号検知装置６が携帯型発信機５の発信信号を受信したら、制御機メモリ１８に記憶されている情報に従い廊下灯２の表示動作を制御する。
【００２１】
携帯型発信機５は、微弱電波で常時自身のＩＤ情報を含む信号を発するよう構成されており、例えばＰＨＳ（パーソナル・ハンディーホン・システム）端末が適用できる。この携帯型発信機５は、医師或いは看護師が携行するもので、複数台備えられている。そして、信号検知装置６は、この実施形態では２台の廊下灯２に対して１台設置され、夫々制御機４に接続され、携帯型発信機５の発信信号を受信したら制御機４に通知するよう構成されている。
【００２２】
ナースコール親機３は、患者情報、看護情報等を表示する液晶画面から成るディスプレイ２１、このディスプレイ２１の所定の位置に文字や絵を表示するための液晶画面駆動回路２２、ディスプレイ２１前面に装着されて各種入力をおこなうためのタッチパネル２３、患者からの呼び出しにより呼出音を報音するための呼出音発生回路２４、患者と通話をするためのスピーカ／マイク２５、通話を制御する通話回路２６と、ナースコール親機３を制御する親機ＣＰＵ２７、制御機４に接続するための親機ＩＦ（インターフェース）２８を有している。
【００２３】
尚、信号検知装置６は、２台の廊下灯に対して１台対応させて、例えば向かい合った病室に対して１台を対応させているが、個々の廊下灯２に内蔵させて、１対１で対応させることもできる。また、病棟の各フロアに１台づつ設置して１０台前後の廊下灯に対して１台の信号検知装置を対応させても良い。
【００２４】
図４〜図９は、制御機メモリ１８が記憶している患者、担当医師、診療科目、携帯型発信機等を関連付けた情報を示している。この情報を基に廊下灯２の液晶表示部１１は表示制御される。
図４は携帯型発信機ＩＤ（端末ＩＤ）と医師とを関連付けた情報（以下、情報Ｍ１とする）を示し、図５は患者ＩＤと医師とを関連付けた情報（以下、情報Ｍ２とする）を示し、図６は患者ＩＤと診療科目とを関連付けた情報（以下、情報Ｍ３とする）を示し、図７は患者ＩＤと患者氏名とベッド番号とを関連付けた情報（以下、情報Ｍ４とする）、図８は携帯型発信機ＩＤと診療科目とを関連付けた情報（以下、情報Ｍ５とする）を示している。また、図９は信号検知装置ＩＤと廊下灯ＩＤとを関連付けた廊下灯情報を示している。
【００２５】
これらの情報のうち情報Ｍ２〜Ｍ４は、入力されている患者名、性別、年齢、担当医師、担当看護師、救護区分等の患者情報から入手され、情報Ｍ１及びＭ５はナースコール親機３のタッチパネル２３、マウス、キーボード等を操作して入力される。尚、図９に示す信号検知装置と廊下灯を関連付けた廊下灯情報、及び図示しないベッド番号と廊下灯２を関連付けた情報はシステム設置時に制御機メモリ１８に記憶され、この情報と上記情報Ｍ４から患者と廊下灯を関連付けた情報（以下、情報Ａとする）が構成されている。
このように制御機メモリ１８は、情報Ｍ１，Ｍ２，Ａを記憶する医師・患者情報記憶部、及び情報Ｍ３，Ｍ５，Ａを記憶する診療科目・患者情報記憶部としての機能を有している。
【００２６】
このように携帯型発信機５に各種情報が関係付けられている状態において、以下、携帯型発信機５が廊下灯２へ接近（正確には、信号検知装置６へ接近）した場合のナースコールシステムの動作を説明する。
最初に、ナースコール親機３のタッチパネル操作等の所定の操作において、携帯型発信機５と医師と患者の関連情報（情報Ｍ１、情報Ｍ２）を選択した状態の動作を説明する。この選択により、携帯型発信機の廊下灯への接近に対して反応する条件が限定される。尚、情報Ａは常に選択状態にある。
【００２７】
この設定状態で、所定の携帯型発信機５を所持した医師が廊下灯２（に関連付けられている信号検知装置６）に近づくと、廊下灯表示制御手段である制御機ＣＰＵ１９は、信号検知装置６と廊下灯２とを関連付けた情報Ａから特定の廊下灯２を選択する。そして、情報Ａを基に選択した廊下灯２に関連付けられているベッド番号から患者を選択し、情報Ｍ１及び情報Ｍ２から、廊下灯２に関連付けられている患者の中に医師が担当している患者が居るかどうか判断する。
関連する患者（担当患者）が居なければ、患者情報を表示せずに待受画面の表示を持続する。担当患者があれば、待受画面を解除して複数の患者表示領域のうち、その患者の表示領域のみ患者情報を表示させる。そして同時に、廊下灯２の表示灯１０を呼出表示とは異なる特定のパターンで報知動作させる。
こうして患者情報が表示された場合は、医師が表示された情報を確認後、廊下灯２の復旧ボタン１３の長押し等の所定の操作を行うことにより待ち受け状態にもどる。
【００２８】
このように、担当医師が近づいたら患者情報が自動で表示されるので、プライバシー保護の面で更に有効であるし、１台の信号検知装置に複数の廊下灯が対応していても、患者情報が表示されるのはこれらの一部であり、医師は別途表示操作をすることなく目的の患者の患者情報及び場所をスムーズに確認できる。
また、逆に近くに携帯型発信機を携行する医師が居ない場合に表示されることがないので、プライバシーの保護も図ることができる。
更に、表示される患者情報は、近づいた医師が担当する患者の患者情報だけなので、同室の他の患者のプライバシー保護を図ることができる。
また、表示灯も合わせて報知動作するので、携帯型発信機に反応している廊下灯を確認しやすい。特に、設定確認する際活用できる。
【００２９】
尚、患者情報を表示する際、単に点灯させるだけでなく表示領域を点滅或いは色を変更して表示させると更に良く、担当患者を視認し易くなり、医師は患者情報を確認し易い。
また、この実施形態では廊下灯２の患者情報表示部を患者毎に独立して表示する構成となっているが、液晶表示部１１全体を表示動作させても良い。このように担当していない患者情報を合わせて表示させても、患者情報が表示されるのは医師が近づいた時だけなので、プライバシーの保護を図ることはできるし、廊下灯の構成を簡略化できる。
また、看護師が携帯型発信機を携行して廊下灯を表示動作させても良く、その場合は医師に代えて看護師と担当患者を関連付けた情報により制御すれば良い。
【００３０】
次に、表示動作させる医師を更に限定させた場合を説明する。ナースコール親機３の親機ＣＰＵ２７は、医師検知選択手段として動作し、ナースコール親機３の所定の操作により、例えば医師「山田一郎」の選択が行われると、制御機ＣＰＵ１９は、携帯型発信機５と医師の関連情報Ｍ１、医師と患者の関連情報Ｍ２から、医師「山田一郎」の担当患者がいる場合のみ廊下灯２に患者情報を表示させる。ここでは、患者「アイホン太郎」、「特許花子」が担当患者であるため、医師「山田一郎」がこの２名の患者の居る病室に近づくと、廊下灯２の対応する患者情報表示領域を表示動作させる。
【００３１】
このように検知動作する医師を選択でき、特定の医師が自身の担当する患者に近づいた時に患者情報が表示されるので、回診する際に患者の居る病室が分かりやすく、回診をスムーズに進めるのに役立つ。
【００３２】
一方、この限定動作の場合、廊下灯の表示動作に合わせて、ナースコール親機３のディスプレイ２１も患者情報の表示動作を実施する。図１０のディスプレイ説明図に示すように、ナースコール親機３のディスプレイ２１は患者一覧表示手段として動作し、ナースコールサーバ（図示せず）からの患者情報を基に患者情報一覧が表示されている。尚、この図において各長方形の表示領域３０が患者表示領域であり、この表示により看護師は呼出が成された患者の情報を画面を見るだけで把握することが可能となっている。
このような画面が表示されている状態で、廊下灯２が患者情報の表示動作をしたら、その際の制御機ＣＰＵ１９の制御信号を受けて、親機ＣＰＵ２７は親機表示制御手段として動作し、患者表示領域３０のうち同一の患者の患者表示領域（図１０のＥ１，Ｅ２）を点滅等で周囲とは異なる表示動作をさせる。
【００３３】
このナースコール親機の表示動作により、ナースステーションにて特定の医師の所在を把握することができる。
尚、このナースコール親機３の表示動作は、医師等の限定をしない状態で廊下灯の表示動作に連動させても良く、その場合は、廊下灯表示動作の確認をナースステーションに居ながら行うことが可能となる。
【００３４】
次に、診療科目により表示動作を限定した場合を説明する。ナースコール親機３の所定の操作で、診療科目が一致した患者がいる場合に廊下灯に患者情報を表示させるよう制御することができる。
ナースコール親機３のタッチパネル操作等の所定の操作において、情報Ｍ３、Ｍ５を選択することができる。情報Ｍ３、Ｍ５を選択することで、携帯型発信機５を携行した医師が廊下灯２に近づいた際に、医師の診療科目と患者の診療科目が一致した場合に、その患者の患者情報が廊下灯２で表示動作する。尚、情報Ａは常に選択状態にある。
【００３５】
この設定状態で、所定の携帯型発信機５を所持した医師が廊下灯２（に関連付けられている信号検知装置６）に近づくと、制御機ＣＰＵ１９は、信号検知装置６と廊下灯２とを関連付けた情報から特定の廊下灯２を選択する。そして、情報Ａから特定した廊下灯２に関連付けられているベッド番号から患者を選択し、情報Ｍ３及び情報Ｍ５から、廊下灯２に関連付けられている患者の中に医師の診療科目に一致している患者が居るかどうか判断する。
【００３６】
関連する患者（担当患者）が居なければ、患者情報を表示せずに待受画面の表示を持続する。一致する患者があれば、待受画面を解除してその患者の表示領域のみ患者情報を表示させる。そして同時に、廊下灯２の表示灯１０を呼出表示とは異なる特定のパターンで報知動作させる。
こうして患者情報が表示された場合は、医師が表示された情報を確認後、廊下灯２の復旧ボタン１３の長押し等の所定の操作を行うことにより待ち受け状態にもどる。
【００３７】
このように、診療科目が一致した医師等が近づいた時のみ患者情報が表示されるので、担当ではない専門医が回診する場合等患者情報を良好に確認できるし、プライバシー保護も引き続き図ることができる。
また、表示は診療科目が一致した患者情報だけなので、同室の他の患者のプライバシーの保護を図ることができるし、表示灯も合わせて報知動作するので、携帯型発信機に反応している廊下灯を確認しやすい。
【００３８】
尚、この診療科目により廊下灯表示動作を限定した場合も、ナースコール親機３のディスプレイ２１にて廊下灯２の表示動作に連動させて、同一の患者表示領域を強調表示させる事ができ、担当医師の所在を把握するのに活用できる。
【００３９】
また、診療科目による限定において、更に特定の診療科目を選択して廊下灯２を表示動作させることもできる。ナースコール親機３の親機ＣＰＵ２７は、診療科目検知選択手段として動作し、ナースコール親機３の所定の操作により、診療科目を選択することができ、制御機ＣＰＵ１９は、情報Ｍ３、Ｍ５から、携帯型発信機５に関連付けられた診療科目が特定の診療科目であり、その診療科目の患者がいる場合に廊下灯２に患者情報を表示させる。
【００４０】
このように診療科目を限定して動作させることができ、廊下灯の表示動作を大きく制限することができ、プライバシー保護の面でも有効である。
【００４１】
尚、上記実施形態では、医師と携帯型発信機５を関連付けて、更には医師を選択して廊下灯２の表示動作を限定した場合を説明しているが、全く限定せずに信号検知装置６と廊下灯２とを関連付けた廊下灯情報だけに基づいて動作させても良く、良好に表示動作する。この場合、携帯型発信機５を携行した医師或いは看護師が、任意の信号検知装置６に接近することで、携帯型発信機５から発信される信号を受信した信号検知装置６に関連付けられている廊下灯２は患者情報を表示する。この設定状態でも表示動作の回数は増えるが、その都度表示操作する必要がないし、携帯型発信機５がなければ表示動作しないのでプライバシーの保護にも有効である。
また、廊下灯２の患者情報表示部を表示制御する廊下灯表示制御手段を制御機４に設けた構成を示しているが、ナースコール親機３に設けても良い。また、制御機メモリ１８を廊下灯情報記憶部、医師・患者情報記憶部、診療科目・患者情報記憶部としているが、これらの一部或いは全てをナースコール親機３に設けても良い。
【図面の簡単な説明】
【００４２】
【図１】本発明に係るナースコールシステムの実施形態の一例を示す構成図である。
【図２】図１の要部ブロック図である。
【図３】廊下灯液晶表示部の表示を示し、（ａ）は待受状態、（ｂ）は患者情報を表示した状態を示している。
【図４】制御部メモリが記憶している携帯型発信機ＩＤと医師との関連情報である。
【図５】制御部メモリが記憶している患者ＩＤと医師との関連情報である。
【図６】制御部メモリが記憶している患者ＩＤと診療科目との関連情報である。
【図７】制御部メモリが記憶している患者ＩＤと患者氏名とベッド番号との関連情報である。
【図８】制御部メモリが記憶している携帯型発信機ＩＤと診療科目との関連情報である。
【図９】制御部メモリが記憶している信号検知装置ＩＤと廊下灯ＩＤとの関連情報で
【図１０】ナースコール親機表示部の表示動作を示す説明図である。
【符号の説明】
【００４３】
１・・ナースコール子機、２・・廊下灯、３・・ナースコール親機、４・・制御機、５・・携帯型発信機、６・・信号検知装置、１０・・表示灯、１１・・液晶表示部、１５・・廊下灯ＣＰＵ、１８・・制御機メモリ（廊下灯情報記憶部、医師・患者情報記憶部、診療科目・患者情報記憶部）、１９・・制御機ＣＰＵ（廊下灯表示制御手段）、２１・・ディスプレイ（患者一覧表示手段）、２７・・親機ＣＰＵ（医師検知選択手段、診療科目検知選択手段、親機表示制御手段）。
【図１】
2007259958.tif 000003
【図２】
2007259958.tif 000004
【図３】
2007259958.tif 000005
【図４】
2007259958.tif 000006
【図５】
2007259958.tif 000007
【図６】
2007259958.tif 000008
【図７】
2007259958.tif 000009
【図８】
2007259958.tif 000010
【図９】
2007259958.tif 000011
【図１０】
2007259958.tif 000012